(57)【要約】【課題】パイプの配列を（たとえ釣り場で仕掛けを投入状態にセットした後であっても）容易に変更できる組立性および携帯性に優れた釣り用仕掛け投入器の提供を目的としている。【解決手段】本発明の一実施形態に係る釣り用仕掛け投入器１は、釣り用仕掛けを収容するための複数のパイプ４が配列を成して互いに接続されることにより構成される。複数のパイプ４は、互いに回動可能に係脱してそれらの配列状態を変更できるように接続されて成る。そのため、釣り用仕掛け投入器１は、パイプ４同士を回動させるための回動部５０と、パイプ４同士を係合させてパイプ４の互いに対する回動を規制する回動規制係合部６０とを有している。【選択図】    図９
2010004858.tif 000002
【特許請求の範囲】
【請求項１】
釣り用仕掛けを収容するための複数のパイプが配列を成して互いに接続される釣り用仕掛け投入器であって、前記複数のパイプは、互いに回動可能に係脱してそれらの配列状態を変更できるように接続されて成ることを特徴とする釣り用仕掛け投入器。
【請求項２】
パイプ同士を係合させてパイプの互いに対する回動を規制する回動規制係合部を有していることを特徴とする請求項１に記載の釣り用仕掛け投入器。
【請求項３】
前記複数のパイプは、着脱可能な軸を介して互いに回動可能に係合されることを特徴とする請求項１または請求項２に記載の釣り用仕掛け投入器。
【請求項４】
前記複数のパイプが外側に取り付けられたフレーム体を有し、前記フレーム体が互いに回動可能に係合されることを特徴とする請求項１ないし請求項３のいずれか１項に記載の釣り用仕掛け投入器。
【発明の詳細な説明】
【技術分野】
【０００１】
本発明は、釣り用仕掛けを収容するための複数のパイプが配列を成して互いに接続される釣り用仕掛け投入器に関する。
【背景技術】
【０００２】
従来から、イカ釣り用の仕掛けなど、複数の釣り針（イカツノ）が結合された釣り用仕掛けが用いられており、また、そのような仕掛けが絡まないようにイカツノ投入器などの釣り用仕掛け投入器が使用されている。
【０００３】
このイカツノ投入器は、イカツノを収容するための複数のパイプが並列に連結されて成り、船縁に立て掛けて使用される。具体的には、仕掛けに結合された複数のイカツノを各パイプ内に順次に収納した状態で仕掛けを水中に投入したときに、釣糸が絡まないようにイカツノが順番にパイプ内から飛び出すようになっている。
【０００４】
このようなイカツノ投入器においては様々な形態のものがあり、例えば特許文献１には、パイプの数を変更できる多点針仕掛投入器（イカツノ投入器）が開示されている。具体的には、この多点針仕掛投入器は、複数のパイプを着脱自在に係合し得る接続部材を有しており、この接続部材を介してパイプを着脱することにより、漁場の状況に応じてパイプの数を増減し、あるいは、複数のパイプを分離して接続し直すことができ、それにより、複数のパイプの配列を変えることができるようになっている。
【特許文献１】特開２００５−２３７２１６号公報
【発明の開示】
【発明が解決しようとする課題】
【０００５】
しかしながら、前記特許文献１の構造では、パイプを一度取り外さなければ、パイプの位置の移動が出来ないため、パイプがばらけてしまい、配列を変更する作業が煩わしいという問題がある。また、パイプを上下に大きく動かして凹凸の係合を外さなければ取り外しができないため、複数のパイプ内にイカツノを収納して仕掛けを投入状態にセットしてから配列を変更しようとすると、パイプの取り外しによるパイプの上下動で仕掛け糸が引張られてしまい、仕掛けが絡み易くなる。つまり、釣り場で複数のパイプの配列を変更することが困難である。
【０００６】
本発明は、前記事情に着目してなされたものであり、その目的とするところは、パイプの配列を（たとえ釣り場で仕掛けを投入状態にセットした後であっても）容易に変更できる組立性および携帯性に優れた釣り用仕掛け投入器を提供することにある。
【課題を解決するための手段】
【０００７】
前記課題を解決するために、本発明は、釣り用仕掛けを収容するための複数のパイプが配列を成して互いに接続される釣り用仕掛け投入器であって、前記複数のパイプは、互いに回動可能に係脱してそれらの配列状態を変更できるように接続されて成ることを特徴とする。
【０００８】
上記構成において、釣り用仕掛け投入器は、パイプ同士を係合させてパイプの互いに対する回動を規制する回動規制係合部を有していても良い。また、複数のパイプが着脱可能な軸を介して互いに回動可能に係合されていても良い。更に、複数のパイプが外側に取り付けられたフレーム体を有し、フレーム体が互いに回動可能に係合されても良い。
【発明の効果】
【０００９】
本発明によれば、パイプを互いに回動可能に係脱することでパイプの配列状態を変更できるため、すなわち、パイプを取り外すことなく、また、パイプがばらけることなく、パイプの配列状態を変更できるため、たとえ釣り場で仕掛けを投入状態にセットした後であっても、仕掛けを絡ませることなくパイプの配列を容易に変更できる（仕掛けの投入状態を容易に変更できる）。また、状況に応じて簡単に配列を変更できることから、折り畳んで携帯することも可能となり、携帯性にも優れる。また、パイプ同士を係合させてパイプの互いに対する回動を規制する回動規制係合部を有することにより、所定の配列状態を安定的に保持することができ、操作性にも優れる。更に、複数のパイプを着脱可能な軸を介して互いに回動可能に係合することにより、組立性を向上させることができる。また、複数のパイプが外側に取り付けられたフレーム体を有し、フレーム体が互いに回動可能に係合されることにより、組み付け性（作業性）および操作性（取り扱い性）を向上させることができる。
【発明を実施するための最良の形態】
【００１０】
以下、図面を参照しながら本発明に係る釣り用仕掛け投入器の一実施形態について説明する。
【００１１】
図１〜図３に示されるように、本実施形態に係る釣り用仕掛投入器１は、例えばイカ釣り用仕掛け３０の幹糸３２に枝糸（ハリス）３４を介して結合された各イカツノ３６を個別に収容するための複数のパイプ４を有しており、これらのパイプ４は配列を成して互いに接続されている。具体的には、複数のパイプ４がその外周に沿って（外側に）取り付けられた合成樹脂製のフレーム体１０，１２，１４を有し、各フレーム体１０，１２，１４が互いに回動可能に係合することで複数のパイプ４が並列に配列される。特に、本実施形態では、左フレーム体１０と、右フレーム体１４と、これらの左右のフレーム体１０，１４の間に位置される中央フレーム体１２とが互いに回動可能に接続されるとともに、各フレーム体１０，１２，１４が一対のパイプ４，４を一組にしてこれらを一体に結合・支持しており、フレーム体１０，１２，１４（したがって、パイプ）を互いに回動可能に係脱することでパイプ（本実施形態では、６本のパイプ）の配列状態を変更できるようになっている（図９参照）。
【００１２】
ここで、図１および図２から分かるように、左フレーム体１０、右フレーム体１４、中央フレーム体１２はそれぞれパイプ４の上側部分と下側部分とに配設されており、パイプ４の上側部分同士および下側部分同士をそれぞれ回動可能に結合している。特に、本実施形態では、フレーム体１０，１２，１４のパイプ差し込み孔１０ｃ，１２ｃ，１４ｃにパイプ４が差し込まれて挟持または接着等により支持固定されることにより、パイプ４の上下が支持される。また、パイプ４は、イカツノ３６を収容するための中空の円筒状空間Ｓを有しており、イカツノ投入用の開口９が上端に形成されるとともに、水抜き孔６ａを有するキャップ６が底部に取り付けられている。
【００１３】
また、本実施形態において、パイプ４は、軽量化を図るためにＡＢＳ樹脂等の合成樹脂によって形成されており、可撓性を有している。また、各パイプ４は透光性も有しており、したがって、パイプ４の内部に収納したイカツノ３６の収納状態を外側から視認することができる。そのため、仕掛け３０の投入時にパイプ４内でイカツノ３６が引っ掛かることを未然に防止することができる。
【００１４】
なお、本実施形態では、パイプ４とフレーム体１０，１２，１４とが別体で設けられているが、パイプ４とフレーム体１０，１２，１４とが一体に形成されていても良い。
【００１５】
図３に示されるように、各フレーム体１０，１２，１４同士（したがって、複数のパイプ４同士）は、着脱可能な軸５２，６２を介して互いに回動可能に係合されるようになっている。具体的に、釣り用仕掛投入器１は、各フレーム体１０，１２，１４を軸としての軸部材５２により互いに回動可能に係合接続する回動部５０と、軸としてのキャップ部材６２を介して各フレーム体１０，１２，１４同士を係脱可能に係合させるための係合部６０とを各フレーム体１０，１２，１４間にそれぞれ有している。
【００１６】
なお、各回動部５０および各係合部６０の構造は、各フレーム体１０，１２，１４間で同一であるため、以下では、左フレーム体１０と中央フレーム体１２との間に設けられる回動部５０および係合部６０を例にとってその構造を説明する。
【００１７】
図３〜図５に示されるように、回動部５０は、軸部材５２を介して中央フレーム体１２と左フレーム体１０とを回動可能に連結しており、複数のパイプ４を互いに水平方向に回動させてそれぞれのパイプ４の開口９は互いに高さが変わらないようにして互いの位置を変更させることができるようになっている。具体的に、回動部５０は、図４および図５に明確に示されるように、左フレーム体１０の長手方向一端部の一方側の角部に一対の支持片１０ａ，１０ａを突設し、これらの一対の支持片１０ａ，１０ａ間に中央フレーム体１２の対応する角部に突設した１つの支持片１２ｂを差し込むとともに、各支持片１０ａ，１２ｂにそれぞれ設けた挿通孔１９，１７を上下方向に合わせて挿通孔１９，１７に軸部材５２を差し込むことにより形成されている。
【００１８】
軸部材５２は、コイン溝５３ａを有するキャップ部５３を上端に有するとともに、互いに周方向に１８０度離間した対向状態で一対の係合凸部１３，１３を下端外周面に有している。そして、軸部材５２が挿通孔１９，１７に差し込まれると、キャップ部５３が挿通孔１９の開口を閉塞するとともに、支持片１０ａの挿通孔１９内に突設された一対の抜け止め凸部１８，１８に軸部材５２の係合凸部１３，１３が係合することで、軸部材５２が抜け止めされる。具体的には、軸部材５２は、周方向に回されることにより、その係合凸部１３，１３が各支持片１０ａ，１０ａの挿通孔１９内の一対の抜け止め凸部１８，１８間に設けられた差し込み溝１６，１６に合わされて差し込まれる。このとき、軸部材５２の係合凸部１３，１３は、中央フレーム体１２の支持片１２ｂの挿通孔１７の両側に対向して設けられる一対の差し込み溝１７ａ，１７ａにも挿通される。そして、このようにして軸部材５２を差し込んだ後、軸部材５２のキャップ部５３のコイン溝５３ａにコインの周端を係合させて軸部材５２を回動させることにより図４に示されるように係合凸部１３，１３を抜け止め凸部１８，１８に位置合わせ係合させれば、挿通孔１７，１９からの軸部材５２の抜けが防止され（不用意な外れを防止でき）、フレーム体１０，１２同士を回動可能に連結する回動部５０が形成される。一方、軸部材５２を回動させて係合凸部１３，１３と抜け止め凸部１８，１８との係合を解除し、軸部材５２を挿通孔１９，１７から引き抜けば、回動部５０でフレーム体１０，１２同士を分離できる。また、パイプ４を並列させた状態で左フレーム体１０と中央フレーム体１２と右フレーム体１４の互いに隣接する側面１０ｓ，１２ｓ，１４ｓが互いに度当てとなって当接し回動が規制される。
【００１９】
なお、右フレーム体１４と中央フレーム体１２との間の回動部５０の構造および作用も、左フレーム体１０と中央フレーム体１２との間の回動部５０の前述した構造および作用と同様であり、したがって、同一の構成要素について同一の符号を付す（図８等参照）ことでその説明を省略する。
【００２０】
一方、係合部６０は、図６および図７に示されるように、回動部５０とパイプ４を挟んだ反対側にて各フレーム体１０，１２同士（したがって、パイプ４同士）を凹凸係合させて各フレーム体１０，１２（したがって、パイプ４）の互いに対する回動を規制する（パイプ４の並列状態にてその回動を規制する）回動規制係合部として構成されている。具体的に、係合部６０は、中央フレーム体１２の長手方向一端部の一方側の角部に一対の支持片１２ａ，１２ａを突設し、各支持片１２ａ，１２ａにそれぞれ設けた挿通孔２３に上下から対応するキャップ部材６２を差し込むことにより形成される。
【００２１】
キャップ部材６２は、軸部６３を備えており、コイン溝６９ａを有するキャップ部６９を軸部６３の上端に有するとともに、互いに周方向に１８０度離間した対向状態で一対の係合凸部６１，６１を軸部６３の下端外周面に有している。また、軸部６３の下端面には、左フレーム体１０と中央フレーム体１２との係合時に後述する左フレーム体１０の支持片１０ｂの挿通孔１１内に僅かに突出し得る斜面状の膨出係合部６５が形成されている。そして、キャップ部材６２が支持片１２ａの対応する挿通孔２３に差し込まれると、キャップ部６９が挿通孔２３の開口を閉塞するとともに、挿通孔２３内に突設された一対の抜け止め凸部２１，２１にキャップ部材６２の係合凸部６１，６１が係合することで、キャップ部材６２が抜け止めされる。具体的には、キャップ部材６２は、周方向に回されることにより、その係合凸部６１，６１が支持片１２ａ，１２ａの挿通孔２３内の一対の抜け止め凸部２１，２１間に設けられた差し込み溝２２に合わされて差し込まれる。そして、このようにしてキャップ部材６２を差し込んだ後、キャップ部材６２のキャップ部６９のコイン溝６９ａにコインの周端を係合させてキャップ部材６２を回動させることにより図６に示されるように係合凸部６１，６１を抜け止め凸部２１，２１に位置合わせ係合させれば、挿通孔２３からのキャップ部材６２の抜けが防止され（不用意な外れを防止でき）、フレーム体１０，１２同士を凹凸係合可能にする係合部６０が形成される。
【００２２】
このような係合部６０を用いてフレーム体１０，１２同士を係合させる場合には、係合部６０を構成する一対の支持片１２ａ，１２ａ間に、左フレーム体１０の対応する角部（左フレーム体１０の前記長手方向一端部の他方側の角部）に突設した１つの支持片１０ｂを差し込むだけで良い。支持片１２ａ，１２ａ間に支持片１０ｂを差し込むと、支持片１０ｂによってキャップ部材６２の膨出係合部６５がその傾斜面にしたがって挿通孔２１内へと押し込まれ（押し上げられ）、挿通孔２１，１１同士の位置が上下で合った時点で、左フレーム体１０の挿通孔１１内にキャップ部材６２の膨出係合部６５が僅かに落とし込まれて軽く係合する。この状態では、並列されたパイプ４を回動させようとしても、膨出係合部６５が挿通孔１１に軽く引掛かっているため、容易に回動しない。一方、左フレーム体１０の支持片１０ｂを中央フレーム体１２の一対の支持片１２ａ，１２ａ間から所定の力で引き抜くと、先と同様にキャップ部材６２の膨出係合部６５がその傾斜面形状にしたがって挿通孔２１内へと押し込まれ（押し上げられ）、フレーム体１０，１２同士の係合が解除される。
【００２３】
なお、右フレーム体１４と中央フレーム体１２との間の係合部６０の構造および作用も、左フレーム体１０と中央フレーム体１２との間の係合部６０の前述した構造および作用と同様であり、したがって、同一の構成要素について同一の符号を付す（図８等参照）ことでその説明を省略する。
【００２４】
次に上記構成の釣り用仕掛投入器１の作用について簡単に説明する。  
通常、釣り用仕掛投入器１は、図１〜図３に示されるようにパイプ４を並列させた状態で船縁に立て掛け、図２のようにイカツノ３６を各パイプ４に収納してセットする。この状態から重り３５の投入により釣糸３２，３４が引き出されて、イカツノ３６がパイプ４から飛び出し水中に投入される。ここで、投入するイカツノ３６の数を少なくしたとき、隣の釣人との間隔が近いとき、あるいは、風や潮の影響で並列状態で広がってしまう仕掛けをまとまった状態で投入したいときなど、状況に応じてパイプ４の配列を図１〜図３の１列の状態から２列または３列の配列状態へと変更することができる。
【００２５】
図８および図９はパイプ４を３列の配列にした状態（横１列から縦３列へと変更した状態）を示している（図８は配列変更後の状態、図９は配列変更の途中の状態をそれぞれ示している）。このような配列形態は、各係合部６０でフレーム体１０，１２，１４同士の係合を解除し、各回動部５０を中心にフレーム体１０，１２，１４を互いに回動させて左右のフレーム体１０，１４を折り畳むことにより実現される。このような折り畳み配列形態は、風の状態や釣り座の状態などに応じて自在に設定することができ、持ち運ぶ際にも有利である。
【００２６】
以上説明したように、本実施形態によれば、パイプ４を互いに回動可能に係脱することでパイプ４の配列状態を変更できるため、すなわち、パイプ４を取り外すことなく、また、パイプ４がばらけることなく、パイプ４の配列状態を変更できるため、たとえ釣り場で仕掛け３０を投入状態にセットした後であっても、仕掛け３０を絡ませることなくパイプ４の配列を容易に変更できる（仕掛け３０の投入状態を容易に変更できる）。また、状況に応じて簡単に配列を変更できることから、図８および図９に示されるように折り畳んで携帯することも可能となり、携帯性にも優れる。また、パイプ４同士を係合させてパイプ４の互いに対する回動を規制する回動規制係合部６０を有することにより、所定の配列状態を安定的に保持することができ、操作性にも優れる。更に、複数のパイプ４を着脱可能な軸５２，６２を介して互いに回動可能に係合することにより、組立性を向上させることができる。また、複数のパイプ４が外側に取り付けられたフレーム体１０，１２，１４を有し、フレーム体１０，１２，１４が互いに回動可能に係合されることにより、組み付け性（作業性）および操作性（取り扱い性）を向上させることができる。
【００２７】
なお、本発明は、前述した実施形態に限定されず、その要旨を逸脱しない範囲で種々変形して実施することができる。例えば、前述した実施形態では、図８および図９の折り畳み状態でフレーム体１０，１４を係合部６０に係合させることができないが、例えば図１０に示されるように、左右フレーム体１０，１４の両側（外端部）に支持片１０ｂ，１４ｂを更に設け、図１１に示されるように折り畳んだときに両側の支持片１０ｂ，１４ｂを中央フレーム１２の支持片１２ａ，１２ａ（係合部６０）間に差し込んで係合させるようにすれば、３列の配列にしたとき或いは折り畳んで持ち運ぶときにパイプ４が不用意に広がらないようにすることができる。また、図１０に示されるように左右フレーム体１０，１４の両側（より正確には、支持片１０ｂ，１４ｂの反対側部位）に回動部５０を構成し得る一対の支持片１０ａ，１４ａを更に設けても良い。これらの支持片１０ａ，１４ａは、フレーム体１０，１２，１４を３つ連結した図１０および図１１の状態では遊んだ状態となるが、更にフレーム体を連結してパイプ４の数を増やす際に利用できる。
【図面の簡単な説明】
【００２８】
【図１】本発明の一実施形態に係る釣り用仕掛投入器の概略的な側面図である。
【図２】図１の釣り用仕掛投入器の側断面図である。
【図３】釣り用仕掛投入器の平面図である。
【図４】図３のＡ−Ａ線に沿う断面図である。
【図５】フレーム体の支持片の挿通孔から軸部材を取り外した状態の図４に対応する断面図である。
【図６】図３のＢ−Ｂ線に沿う断面図である。
【図７】フレーム体の支持片の挿通孔からキャップ部材を取り外した状態の図６に対応する断面図である。
【図８】図１〜図３のパイプ１列並列状態から３列折り畳み状態へと変更した形態を示す平面図である。
【図９】３列折り畳み状態へと変更する過程を示す部分斜視図である。
【図１０】変形例に係るパイプ１列並列状態の釣り用仕掛投入器の平面図である。
【図１１】変形例に係るパイプ３列折り畳み状態の釣り用仕掛投入器の平面図である。
【符号の説明】
【００２９】
１  釣り用仕掛け投入器
４  パイプ
１０，１２，１４  フレーム体
３０  釣り用仕掛け
５０  回動部
５２  軸部材（軸）
６０  回動規制係合部
６２  キャップ部材（軸）
【図１】
2010004858.tif 000003
【図２】
2010004858.tif 000004
【図３】
2010004858.tif 000005
【図４】
2010004858.tif 000006
【図５】
2010004858.tif 000007
【図６】
2010004858.tif 000008
【図７】
2010004858.tif 000009
【図８】
2010004858.tif 000010
【図９】
2010004858.tif 000011
【図１０】
2010004858.tif 000012
【図１１】
2010004858.tif 000013